(57)【要約】【課題】送風機の吹き出し部から熱交換器に向けた送風を拡散させ、熱交換器周りの風速分布を均一にして十分な熱交換器能力を確保する。【解決手段】空気調和機の室内機本体１の内部を仕切板１１にて、熱交換器８が収納された熱交換室１０と、ファンケーシング５と多翼ファン４とファンモーター６とからなる送風機７が収納された送風室９とに区画し、熱交換室１０側に吹出口３を設け、送風室９側に吸込口２を設け、送風機７の吹き出し部７ａから熱交換器８近傍まで、高さ方向に拡大させたディフューザ部１３を備えることにより、多翼ファン４から吹き出された空気は、ディフューザ部１３を通過する時に縦方向にスムーズに拡大しながら風速が減速し、熱交換器８に広範囲に吹きつけられて風速分布を均一にして十分な熱交換器能力を確保する。【選択図】図１
2010117110.tif 000002
【特許請求の範囲】
【請求項１】
空気調和機の室内機本体の内部を仕切板にて、熱交換器が収納された熱交換室と、ファンケーシングと多翼ファンとファンモーターとからなる送風機が収納された送風室とに区画し、熱交換室側に吹出口を設け、送風室側に吸込口を設け、前記送風機の吹き出し部から前記熱交換器近傍まで、高さ方向に拡大させたディフューザ部を備えたことを特徴とする空気調和機の室内機。
【請求項２】
空気調和機の室内機本体の内部を仕切板にて、熱交換器が収納された熱交換室と、ファンケーシングと多翼ファンとファンモーターとからなる送風機が収納された送風室とに区画し、熱交換室側に吹出口を設け、送風室側に吸込口を設け、前記送風機の吹き出し部から前記熱交換器近傍まで、幅方向に拡大させたディフューザ部を備えたことを特徴とする空気調和機の室内機。
【請求項３】
空気調和機の室内機本体の内部を仕切板にて、熱交換器が収納された熱交換室と、ファンケーシングと多翼ファンとファンモーターとからなる送風機が収納された送風室とに区画し、熱交換室側に吹出口を設け、送風室側に吸込口を設け、前記送風機の吹き出し部から前記熱交換器近傍まで、高さ方向と幅方向とに拡大させたディフューザ部を備えたことを特徴とする空気調和機の室内機。
【請求項４】
前記ディフューザ内部に、空気の流れを幅方向に拡散させるように制御するためのガイダを配置することを特徴とする請求項１〜３のうちいずれか一項記載の空気調和機の室内機。
【請求項５】
前記ディフューザ内部に、空気の流れを高さ方向に拡散させるように制御するためのガイダを配置することを特徴とする請求項１〜４のうちいずれか一項記載の空気調和機の室内機。
【発明の詳細な説明】
【技術分野】
【０００１】
本発明は、熱交換器と送風機とを備えた空気調和機の室内機に関するものである。
【背景技術】
【０００２】
図７は、従来技術の空気調和機の室内機の縦断面図である。図７において、空気調和機の室内機は、空気調和機本体１０１内部を仕切板１０２にて熱交換器１０３が収納された熱交換室１０４と、ファンケーシング１０５及び多翼ファン１０６が収納された送風室１０７とに区画し、熱交換室１０４側に吹出口１０８と送風室１０７側に吸込口１０９が設けられ、吹出口１０８及び吸込口１０９にはそれぞれ着脱可能で複数個のネジ１１０で固定されたダクト接続フランジ１１１を有している。ファンケーシング１０５の吹き出し部１０５ａは、仕切板１０２から熱交換室１０４にわずかに突きだした構成となっている。
【特許文献１】特開２００８−２４９２８７号公報
【発明の開示】
【発明が解決しようとする課題】
【０００３】
従来技術による空気調和機の室内機のファンケーシングでは、送風機の吹き出し部の拡大風路を構成するディフューザ部が短いため熱交換器に向けた送風があまり拡散せず、熱交換器周りの風速分布が均一になりにくいため、十分な熱交換器能力が確保できない。また、熱交換室の角の方、特に仕切板近傍においては渦を巻くような空気の流れが発生して円滑な流れ場がつくれず、風量性能が向上しななかったり、乱流騒音の発生を招いたりすることがある。本発明は上記従来の問題点を解決する空気調和機の室内機を提供することを目的とする。
【課題を解決するための手段】
【０００４】
前記課題を解決するために、空気調和機の室内機本体の内部を仕切板にて、熱交換器が収納された熱交換室と、ファンケーシングと多翼ファンとファンモーターとからなる送風機が収納された送風室とに区画し、熱交換室側に吹出口を設け、送風室側に吸込口を設け、前記送風機の吹き出し部から前記熱交換器近傍まで、高さ方向に拡大させたディフューザ部を備える。
【０００５】
多翼ファンから吹き出された空気は、ディフューザ部を通過する時に縦方向にスムーズに拡大しながら風速が減速し、熱交換器に広範囲に吹きつけられる。
【発明の効果】
【０００６】
多翼ファンから吹き出された空気がディフューザ部を通過する時、流れ方向に風路断面積が徐々に拡大されるため風速が徐々に減少して動圧を円滑に回収され、ファン効率が向上して風量性能が向上する。また、渦巻いて逆流する流れが抑制されて流れが円滑になり、乱れが減少して乱流騒音が低減される。
【０００７】
さらに、多翼ファンから吹き出された空気が熱交換器に吹きつけられる風速は均一な状態に近くなり、熱交換器能力が向上する。
【発明を実施するための最良の形態】
【０００８】
第１の発明は、空気調和機の室内機本体の内部を仕切板にて、熱交換器が収納された熱交換室と、ファンケーシングと多翼ファンとファンモーターとからなる送風機が収納された送風室とに区画し、熱交換室側に吹出口を設け、送風室側に吸込口を設け、前記送風機の吹き出し部から前記熱交換器近傍まで、高さ方向に拡大させたディフューザ部を備えた
ことを特徴とする。これにより、熱交換器に対して高さ方向の風速分布の均一化を図ることができる。特に、熱交換室の角の方、特に仕切板近傍における渦を巻くような空気の流れの発生を防止することができる。
【０００９】
第２の発明は、空気調和機の室内機本体の内部を仕切板にて、熱交換器が収納された熱交換室と、ファンケーシングと多翼ファンとファンモーターとからなる送風機が収納された送風室とに区画し、熱交換室側に吹出口を設け、送風室側に吸込口を設け、前記送風機の吹き出し部から前記熱交換器近傍まで、幅方向に拡大させたディフューザ部を備えたことを特徴とする。これにより、熱交換器に対して幅方向の風速分布の均一化を図ることができる。
【００１０】
第３の発明は、空気調和機の室内機本体の内部を仕切板にて、熱交換器が収納された熱交換室と、ファンケーシングと多翼ファンとファンモーターとからなる送風機が収納された送風室とに区画し、熱交換室側に吹出口を設け、送風室側に吸込口を設け、前記送風機の吹き出し部から前記熱交換器近傍まで、高さ方向と幅方向とに拡大させたディフューザ部を備えたことを特徴とする。これにより、熱交換器に対して高さ方向と横方向の風速分布の均一化を図ることができる。特に、熱交換室の角の方、特に仕切板近傍における渦を巻くような空気の流れの発生を防止することができる。
【００１１】
第４の発明は、ディフューザ内部に、空気の流れを幅方向に拡散させるように制御するためのガイダを配置する。これにより、熱交換器に対して幅方向の風速分布の均一化がより以上に図ることができる。
【００１２】
第５の発明は、ディフューザ内部に、空気の流れを高さ方向に拡散させるように制御するためのガイダを配置する。これにより、熱交換器に対して高さ方向の風速分布の均一化がより以上に図ることができる。
【００１３】
以下に本発明の実施の形態を図１から図５までに沿って説明する。
【００１４】
（実施の形態１）
図１は、本発明の実施の形態１における空気調和機の室内機の縦断面図、図２は同平面断面図である。図１、図２において、空気調和機の室内機本体１の２つの側面に対向するように吸込口２と吹出口３とが設けられ、その内部に、多翼ファン４と多翼ファン４を囲むように配置されたスクロール形状を有するファンケーシング５とファンモーター６とで構成される送風機７と、熱交換器８とが配置され、送風機７と熱交換器８との間には送風室９と熱交換室１０とに区画する仕切板１１が配設されている。２台の多翼ファン４の中央部にはファンモーター６が配置され、ファンモーター６の両軸シャフト６ａの両端にそれぞれ多翼ファン４が固定されている。熱交換室１０の下部には、ドレンパン１２が配設されている。
【００１５】
送風機７の吹き出し部７ａには、熱交換器８までディフューザ部１３が吹き出し部７ａを延長するように形成されている。ディフューザ部１３の上面１３ａは熱交換器８の上端８ａの近接位置まで形成され、ディフューザ部１３の下面１３ｂは熱交換器８の下端８ｂの近接位置まで形成され、空気の流れ方向に沿って高さ方向寸法が徐々に拡大している。
【００１６】
また、ディフューザ部１３の側面１３ｃは、幅方向寸法が拡大しながら、室内機本体１に近接するまで、又は隣接するケーシング５のディフューザ部１３の側面１３ｃと当接する側面当接位置１３ｄまで形成されている。図１においては、ディフューザ部１３のいずれの面も直線的な平面として形成しているが、拡大方向の曲線的な平面とすれば、気流はよりスムーズに拡大されて好適である。
【００１７】
上記構成により、ファンモーター６が駆動されて、両軸シャフト６ａに直結されている各々の多翼ファン４が回転する。それによって、室内機本体１の吸込口２より吸い込まれた空気が吹き出し部７ａより吹き出し、ディフューザ部１３を通って、熱交換器８を通過する。さらに、熱交換器８で熱交換された空気は、室内機本体１の吹出口３より放出される。
【００１８】
ディフューザ部１３は、流れ方向に沿って高さ方向及び幅方向に徐々に拡大するため、風速が徐々に減少して動圧が円滑に回収され、ファン効率が向上して風量性能が向上する。さらに、高さ方向及び幅方向に風速が均一化して熱交換器能力が向上する。また、熱交換室１０の角の方、特に仕切板１１近傍における渦を巻くような空気の流れの発生を防止することができ、流れが円滑になり乱れが減少して乱流騒音が低減する。
【００１９】
なお、本実施の形態１においては、ディフューザ部１３を高さ方向寸法及び幅方向寸法を同時に拡大するように形成して効果を最大限引き出すようにしたが、ディフューザ部１３を高さ方向に拡大する上面１３ａと下面１３ｂだけ、又は幅方向に拡大する側面１３ｃだけのいずれかを形成して、いずれかの効果を発揮するだけとすることも可能である。
【００２０】
また、後述する図３に示すように、ディフューザ部１３を熱交換器８の上端８ａ及び下端８ｂに近接するほどまで形成しなくとも、最も風速が大きい吹き出し部５ａから所定長さだけ延長して拡大するようにしても良い。その所定長さとしては、ディフューザ部１３の上面１３ａは室内機本体１の天面にスムーズに気流を沿わせられる程度の長さがあれば良く、吹き出し部７ａが天面に近接しているほど短くて済む。また、ディフューザ部１３の下面１３ｂは、吹き出した気流が仕切板１１側に逆流して渦巻くような乱流を抑制できれば良く、熱交換器８の下端８ｂに向けて延長した下面１３ｂが、少なくとも熱交換器８の下端８ｂと仕切板１１との中央位置まで到達する長さがあれば良い。
【００２１】
このようにディフューザ部１３を短く形成した場合には、ディフューザ部１３が多翼ファン４に対して個別に配設されて小型で済み、図１の構成と比較してコストを低減することが可能であるとともに、組み立ても容易である。
【００２２】
また、送風機７の多翼ファン４とファンケーシング５との組み合わせは２個に限定するものではなく、１個以上あれば良い。
【００２３】
（実施の形態２）
図３は、本発明の実施の形態２における空気調和機の室内機の縦断面図、図４は同平面断面図である。図３、図４において、実施の形態１と同じ構成については説明を省略する。
【００２４】
送風機７の吹き出し部７ａには、ディフューザ部１３が吹き出し部７ａを熱交換器８の上端８ａ及び下端８ｂに近接するまでは達しない程度の近傍まで延長するように形成され、流れ方向に沿って高さ方向及び幅方向に徐々に拡大する。そのディフューザ部１３の内部には、幅方向に流れを拡散させるように制御するためのガイダ１４ａが配置されている。これによって、さらに動圧が円滑に回収されてファン効率が向上し、風量性能が向上する。また、特に幅方向の空気の流れが整流されて風速の均一化をより以上に図ることができ、熱交換器能力が向上する。また、流れがより円滑になり、乱れが減少して乱流騒音がさらに低減される。
【００２５】
（実施の形態３）
図５は、本発明の実施の形態３における空気調和機の室内機の縦断面図、図６は同平面
断面図である。図５，図６において、実施の形態１と同じ構成については説明を省略する。
【００２６】
送風機７の吹き出し部７ａには、ディフューザ部１３が吹き出し部７ａを熱交換器８の上端８ａ及び下端８ｂに近接するまでは達しない程度の近傍まで延長するように形成され、流れ方向に沿って高さ方向及び幅方向に徐々に拡大する。そのディフューザ部１３の内部には、高さ方向に流れを拡散させるように制御するためのガイダ１４ｂが配置されている。これによって、さらに動圧が円滑に回収されてファン効率が向上し、風量性能が向上する。また、特に高さ方向の空気の流れが整流されて風速の均一化をより以上に図ることができ、熱交換器能力が向上する。また、流れがより円滑になり、乱れが減少して乱流騒音がさらに低減される。
【００２７】
なお、実施の形態１，２，３に記載した構成は、それぞれ自由に組み合わせることが可能である。例えば、実施の形態１のディフューザ部１３の構成にガイダ１４ａ，１４ｂを組み合わせる時には、ガイダ１４ａ，１４ｂをもっと熱交換器８に近づけるように構成して、熱交換器８への風速を均一にすることができる。
【産業上の利用可能性】
【００２８】
以上のように、本発明のように送風機のファンケーシングを延長したディフューザ部を構成することにより、ディフューザ部を空気が通過する時、動圧が円滑に回収されてファン効率が向上し、風量性能が向上したり、熱交換器に吹きつけられる風速が均一な状態に近くなり、熱交換器能力が向上したり、流れが円滑になり、乱れが減少して乱流騒音が低減されたりするもので、ダクトエアコンなどのほか、多翼ファンとファンケーシングを用いて熱交換器に送風する空調機に適用できる。
【図面の簡単な説明】
【００２９】
【図１】本発明の実施の形態１における空気調和機の室内機の縦断面図
【図２】本発明の実施の形態１における空気調和機の室内機の平面断面図
【図３】本発明の実施の形態２における空気調和機の室内機の縦断面図
【図４】本発明の実施の形態２における空気調和機の室内機の平面断面図
【図５】本発明の実施の形態３における空気調和機の室内機の縦断面図
【図６】本発明の実施の形態３における空気調和機の室内機の平面断面図
【図７】従来の空気調和機の室内機の縦断面図
【符号の説明】
【００３０】
１  室内機本体
２  吸込口
３  吹出口
４  多翼ファン
５  ファンケーシング
６  ファンモーター
６ａ  両軸シャフト
７  送風機
７ａ  吹き出し部
８  熱交換器
８ａ  上端
８ｂ  下端
９  送風室
１０  熱交換室
１１  仕切板
１２  ドレンパン
１３  ディフューザ部
１３ａ  上面
１３ｂ  下面
１３ｃ  側面
１３ｄ  側面当接位置
１４ａ，１４ｂ  ガイダ
【図１】
2010117110.tif 000003
【図２】
2010117110.tif 000004
【図３】
2010117110.tif 000005
【図４】
2010117110.tif 000006
【図５】
2010117110.tif 000007
【図６】
2010117110.tif 000008
【図７】
2010117110.tif 000009